(57)【要約】【課題】外部電源を必要とせず、シャワー、ブラッシングが可能なシャワーヘッドを提供する。【解決手段】ホース内部は、第１の給水路６２とホース前端部に排水口を有する第１の排水路６３とを有する。シャワーヘッド本体２０は握り手部４０と頭部３０とを有し、頭部３０は、第３の給水路３２と第３の排水路３３とに接続され羽根車３４を有する第１の回転室を有する。水流が第３の給水路３２から第１の回転室３１を経て第３の排水路３３へ流出すると、羽根車３４が回転し、車軸３５が第１の回転室３１から突出したブラシ３６を回転させる。第１の回転室３１の外周には小孔３７１を有し第４の給水路３８に接続された第２の回転室３７を有し、水流が小孔３７１から噴出する。切換スイッチ５０は回転体と遮水体とを有する。シャワーヘッド本体２０の内部にて遮水体が水流を制御することで、シャワー状態あるいはブラッシング状態に切り替える。【選択図】図３
0003138904.tif 000002
【実用新案登録請求の範囲】
【請求項１】
前端部が水道蛇口の吐水口に接続され、内部に第１の給水路と第１の排水路とを有し、前記第１の給水路は前記水道蛇口の吐水口と接続され、前記第１の排水路は前記前端部に近い所で下に向かって延ばされた排水口を有する、ホースと、
握り手部と前記握り手部の上端に設けられた頭部とを有し、前記握り手部および前記頭部の内部空間が繋がっている、シャワーヘッド本体と、
前記握り手部と前記頭部との間に設けられ、回転体と遮水体とを有し、前記回転体は前記シャワーヘッド本体の表面に露出していて回転可能で、前記シャワーヘッド本体の内部にて前記遮水体は水流を制御し、前記遮水体の側面には多数の水路接続のための孔が貫通し、前記の各給水路および排水路への水流の開放あるいは遮断を制御し、前記シャワーヘッドの用途を、シャワーあるいはブラッシングとして選択することを制御する、切換スイッチと、を備え、
前記頭部は第１の回転室を有し、前記第１の回転室は第３の給水路および第３の排水路と接続され、前記第１の回転室の内部には羽根車を有し、水流が前記第３の給水路から前記第１の回転室を経て前記第３の排水路へ流出するとき、前記水流により前記羽根車が押し動かされ回転し、前記羽根車の車軸は前記第１の回転室から突出し、前記頭部の表面に設けられたブラシを回転させ、前記第１の回転室の外周には第２の回転室が設けられ、前記第２の回転室は第４の給水路に接続され、前記第２の回転室の表面には多数の小孔が設けられ、前記第２の回転室内部の水流が前記多数の小孔から噴出することを特徴とするシャワーヘッド。
【請求項２】
前記ブラシは、円盤体の上に設けられ、前記円盤体の底面は前記羽根車の車軸と結合されていることを特徴とする請求項１記載のシャワーヘッド。
【請求項３】
前記切換スイッチは、第１の通水路、第２の通水路、第３の通水路、第４の通水路および第５の通水路を有し、前記の各通水路が前記遮水体の異なる位置および方向に設けられていることを特徴とする請求項１記載のシャワーヘッド。
【請求項４】
前記第１の通水路は第２の給水路と前記第３の給水路とを接続し、前記第２の通水路は前記第３の排水路と第２の排水路とを接続し、前記第３の通水路は前記第２の給水路と前記第４の給水路とを接続し、前記第４の通水路が前記第２の給水路と前記第３の給水路および前記第４の給水路との双方に接続したとき、前記第５の通水路は前記第３の排水路と前記第２の排水路とを接続することを特徴とする請求項３記載のシャワーヘッド。
【考案の詳細な説明】
【技術分野】
【０００１】
本考案は、多機能を有するシャワーヘッドに関する。
【背景技術】
【０００２】
従来のシャワーヘッドを図１に示す。シャワーヘッド１０は、ホース１１を通じて水道蛇口１２に繋がる。ホース１１の中を水流が通り、シャワーヘッド１０まで水が送られ噴水することで、使用者は体を洗うことができる。
従来のシャワーヘッドは噴水量の調節、あるいは噴水形態を霧状あるいは滝状に選択ができるが、それ以上の機能を有していない。
しかしシャワーを浴びる場合、使用者は単にシャワー水を浴びるだけでなく、石鹸やボディシャンプーを使用し、ボディブラシやタオルで体を擦ることで、体を清潔にする。
【考案の開示】
【考案が解決しようとする課題】
【０００３】
本考案の目的は、外部電源を使用することなく、水流の圧力を利用しブラシを自動的に回転させるシャワーヘッドを提供することである。
【課題を解決するための手段】
【０００４】
上記の課題を実現するため、本考案によるシャワーヘッドはホース、シャワーヘッド本体および切換スイッチを有する。
【０００５】
ホースは、内部に第１の給水路と第１の排水路を有する。第１の給水路は水道蛇口の吐水口に接続され、第１の排水路はホース前端部の直前で下に向かって曲げられた排水口を有する。
【０００６】
シャワーヘッド本体は、握り手部と握り手部の上端に設けられた頭部とより構成され、握り手部と頭部のそれぞれの内部は中空状を呈し、接続されている。
握り手部の底部にはホースの後端部が接続され、握り手部の内部に設けられた第２の給水路は第１の給水路に接続され、同じく握り手部の内部に設けられた第２の排水路は第１の排水路に接続されている。
【０００７】
頭部は、第１の回転室を有し、第１の回転室は第３の給水路と第３の排水路に接続されている。第１の回転室の内部には羽根車を有し、水流が第３の給水路から第１の回転室に流入すると、水流は第３の排水路より流出し、このとき、羽根車を押し動かし回転させる。羽根車の車軸は第１の回転室から突出し、車軸に接続された、頭部の表面に設けられたブラシを回転させる。さらに頭部は、第１の回転室の外周を取り囲む第２の回転室を有し、第２の回転室は第４の給水路に接続されている。また第２の回転室の表面には多数の小孔が設けられ、第２の回転室に流入した水流が多数の小孔から噴出する。
【０００８】
切換スイッチは、握り手部と頭部との間に設けられ、回転体と遮水体とを有する。回転体はシャワーヘッド本体の表面に露出し、遮水体はシャワーヘッド本体の内部において水流を制御する作用を果たす。遮水体の側面には複数の通水路が設けられ、そのうち、第１の通水路は第２の給水路と第３の給水路とを接続し、第２の通水路は第３の排水路と第２の排水路とを接続する。第３の通水路は第２の給水路と第４の給水路とを接続する。第４の通水路は第２の給水路と、第３の給水路および第４の給水路とを接続し、このとき、第５の通水路は第３の排水路と第２の排水路とを接続する。
【０００９】
本考案によるシャワーヘッドは、電源を必要とせず、シャワーヘッドに流入する水流の圧力を利用してブラシを回転させることにより使用者の体を洗ったりあるいはマッサージでき、また切換スイッチを操作することにより、シャワー状態あるいはブラッシング状態を選択したり、両状態を同時に選択できるほか、ブラッシング状態のみを選択したとき、ブラシの回転に利用された水を浴槽内に排水し、水を無駄にしない。
【考案を実施するための最良の形態】
【００１０】
以下、本考案の実施形態によるシャワーヘッドを、図面に基づいて説明する。
図２から図４に示すように、ホース６０はホース前端部６１が水道蛇口７０の吐水口７１に接続され、ホース６０内部に第１の給水路６２と第１の排水路６３とを有し、第１の給水路６２は水道蛇口７０の吐水口７１に接続される。第１の排水路６３はホース前端部６１に、下側に向かって曲げられた排水口６４を有する。
【００１１】
シャワーヘッド本体２０は握り手部４０と握り手部４０の上端に設けられた頭部３０とで構成され、握り手部４０と頭部３０のそれぞれの内部は中空状を呈し、接続されている。
【００１２】
握り手部４０の底部にはホース６０のホース後端部６５が接合され、握り手部４０内部の第２の給水路４１は第１の給水路６２に接続され、握り手部４０内部の第２の排水路４２は第１の排水路６３に接続される。
【００１３】
頭部３０は第１の回転室３１を有し、第１の回転室３１は第３の給水路３２と第３の排水路３３に接続する。第１の回転室３１の内部には羽根車３４が設けられ、水流が第３の給水路３２から第１の回転室３１に流入すると、水流は第３の排水路３３より流出し、このとき、水流が羽根車３４を押し動かし回転させる。羽根車３４の車軸３５は第１の回転室３１から突出し、車軸３５に接続された、頭部３０の表面に設けられたブラシ３６を回転させる。頭部３０は、第１の回転室３１の外周を取り囲む第２の回転室３７をさらに有し、第２の回転室３７は第４の給水路３８に接続される。また第２の回転室３７の表面は多数の小孔３７１を有し、第２の回転室３７に流入した水流が小孔３７１から噴出する。
【００１４】
切換スイッチ５０は、握り手部４０と頭部３０との間に設けられ、回転体５１と遮水体５２とを有する。回転体５１は図３に示すように、シャワーヘッド本体２０の表面に露出し、また図４Ａおよび図４Ｂに示すように、遮水体５２はシャワーヘッド本体２０の内部において水流を制御する役割を果たす。遮水体５２の側面には複数の通水路（第１の通水路５３、第２の通水路５４、第３の通水路５５、第４の通水路５６および第５の通水路５７）が設けられ、そのうち、第１の通水路５３は第２の給水路４１と第３の給水路３２とを接続し、第２の通水路５４は第３の排水路３３と第２の排水路４２とを接続する。
【００１５】
切換スイッチ５０の使用目的は、シャワーヘッド本体２０内の水流を切り換えることにより、シャワーヘッドの機能を選択することである。本考案の一実施形態では切換スイッチ５０が一つ設けられ、切換スイッチ５０の遮水体５２内部には遮水体５２を貫通する複数の前記の各通水路が設けられる。
【００１６】
本考案の一実施形態の第１の使用状態では、図４に示すように、羽根車３４が回転し、図３に示すブラシ３６が車軸３５を中心に回転する。すなわち図４Ａおよび図４Ｂに示すように、本考案の第１の使用状態では、切換スイッチ５０の回転体５１のノブが直立状態を呈し、遮水体５２の第１の通水路５３は第２の給水路４１と第３の給水路３２とを接続状態とし、第２の通水路５４は第３の排水路３３と第２の排水路４２とを接続状態（ＯＮ）とし、このとき第３の通水路５５、第４の通水路５６、および第５の通水路５７は図４Ｂに示すように遮断状態（ＯＦＦ）となる。
【００１７】
各通水路はそれぞれ異なる位置および高さに設けられることにより、切換スイッチ５０を回転させることで、水路の接続状態（ＯＮ）あるいは遮断状態（ＯＦＦ）が選択できる。本実施形態においては、水道蛇口７０から、ホース６０内部の第１の給水路６２に水が流入し、流入した水は握り手部４０内部の第２の給水路４１を通り、遮水体５２内部の第１の通水路５３を経て、第３の給水路３２を通り、第１の回転室３１内へ入り、この水流の圧力を利用することにより羽根車３４を回転させ、羽根車３４に接合されたブラシ３６が回転する。
【００１８】
水流はこのあと第３の排水路３３を通り、遮水体５２内部の第２の通水路５４を経て、第２の通水路４２、および第１の排水路６３を通り、排水口６４より浴槽８０内に流出される。これにより、本考案の一実施形態ではブラッシング機能を利用する際、外部電源を必要とすることなく、水流の圧力を利用することによりブラシ３６を回転させ、使用者の体を洗い、あるいはマッサージする。羽根車３４を回転させるために利用された水流は浴槽８０内に排水され、再利用することができる。
【００１９】
図５Ａおよび図５Ｂに示すように、本考案の一実施形態の第２の使用状態では、切換スイッチ５０の回転体５１のノブが左斜め方向に傾き、遮水体５２の第３の通水路５５は第２の給水路４１と第４の給水路３８とを接続状態とし、水流を第２の回転室３７に流入させ、水流を小孔３７１より噴出させる。これにより、シャワー機能が使用可能となる。
【００２０】
図６Ａおよび図６Ｂに示すように、本考案の一実施形態の第３の使用状態では、切換スイッチ５０の前記回転体５１のノブが水平状態となり、遮水体５２の第４の通水路５６は第２の給水路４１と、第３の給水路３２および第４の給水路３８とを接続状態とし、よって第４の通水路５６の上部給水路はＹ型の三つ叉状を呈し、水流を第１の回転室３１および第２の回転室３７に流入させ、このとき、第５の通水路５７は第３の排水路３３と第２の排水路４２とを接続状態とする。これにより、シャワーとブラッシングの両機能が同時に使用できる。
【００２１】
図７は本考案の一使用状態を示しており、本考案によるシャワーヘッドの握り手部４０は従来のシャワーヘッドよりも長く、使用者は自身の背中をシャワーヘッドのブラシを用い、ブラッシングすることができる。
【００２２】
なお本考案では、切換スイッチ５０を二つ、あるいは三つ設けることにより、各給水路および各排水路間の水流の切り換えを制御することもできる。
【図面の簡単な説明】
【００２３】
【図１】従来のシャワーヘッドの斜視図である。
【図２】本考案の一実施形態を示す斜視図である。
【図３】本考案の一実施形態によるシャワーヘッド本体を示す断面図である。
【図４】本考案の一実施形態によるシャワーヘッドの使用状態を示す模式図である。
【図４Ａ】本考案の一実施形態によるシャワーヘッドにおいて、第１の使用状態の際の回転体の回転角度を示す模式図である。
【図４Ｂ】本考案の一実施形態によるシャワーヘッドにおいて、第１の使用状態の際の遮水体内部の通水路の状態を示す模式図である。
【図５】本考案の一実施形態によるシャワーヘッドの使用状態を示す断面図である。
【図５Ａ】本考案の一実施形態によるシャワーヘッドにおいて、第２の使用状態の際の回転体の回転角度を示す模式図である。
【図５Ｂ】本考案の一実施形態によるシャワーヘッドにおいて、第２の使用状態の際の遮水体内部の通水路の状態を示す断面図である。
【図６】本考案の一実施形態によるシャワーヘッドの使用状態を示す断面図である。
【図６Ａ】本考案の一実施形態によるシャワーヘッドにおいて、第３の使用状態の際の回転体の回転角度を示す模式図である。
【図６Ｂ】本考案の一実施形態によるシャワーヘッドにおいて、第３の使用状態の際の遮水体内部の通水路の状態を示す断面図である。
【図７】本考案の一実施形態によるシャワーヘッドの使用状態を示す模式図である。
【符号の説明】
【００２４】
２０：シャワーヘッド本体、３０：頭部、３１：第１の回転室、３２：第３の給水路、３３：第３の排水路、３４：羽根車、３５：車軸、３６：ブラシ、３６１：円盤体、３７：第２の回転室、３７１：小孔、３８：第４の給水路、４０：握り手部、４１：第２の給水路、４２：第２の排水路、５０：切換スイッチ、５１：回転体、５２：遮水体、５３：第１の通水路、５４：第２の通水路、５５：第３の通水路、５６：第４の通水路、５７：第５の通水路、６０：ホース、６１：ホース前端部、６２：第１の給水路、６３：第１の排水路、６４：排水口、６５：ホース後端部、７０：蛇口、７１：吐水口、８０：浴槽
【図１】
0003138904.tif 000003
【図２】
0003138904.tif 000004
【図３】
0003138904.tif 000005
【図４】
0003138904.tif 000006
【図４Ａ】
0003138904.tif 000007
【図４Ｂ】
0003138904.tif 000008
【図５】
0003138904.tif 000009
【図５Ａ】
0003138904.tif 000010
【図５Ｂ】
0003138904.tif 000011
【図６】
0003138904.tif 000012
【図６Ａ】
0003138904.tif 000013
【図６Ｂ】
0003138904.tif 000014
【図７】
0003138904.tif 000015